(57)【要約】【課題】登録済みのユーザに対しては個人情報を参照できる状態で、非登録のユーザに対しては個人情報を参照できない状態で情報を掲示する電子掲示板サーバ、電子掲示板システム及び掲示板データ提供方法を提供する。【解決手段】登録済みのユーザによって所定の入力フォームを用いて書き込まれた情報からなる掲示板情報を、ネットワークを介して接続された情報処理装置からの要求に応じて参照させるＢＢＳサーバ１００であって、ＢＢＳ管理部１０１は、非登録のユーザが操作する情報処理装置からの参照要求に対しては、所定の入力フォームのうち、少なくとも個人情報のみからなる情報の入力欄の内容を、インデックス置換部１０７によって個人情報とは無関係の情報に置き換えた上で参照させる。【選択図】図１
2010066788.tif 000002
【特許請求の範囲】
【請求項１】
登録済みのユーザによって所定の入力フォームを用いて書き込まれた情報からなる掲示板情報を、ネットワークを介して接続された情報処理装置からの要求に応じて参照させる電子掲示板サーバであって、
非登録のユーザが操作する情報処理装置からの参照要求に対しては、前記所定の入力フォームのうち、少なくとも個人情報のみからなる情報の入力欄の内容を、個人情報とは無関係の情報に置き換えて参照させることを特徴とする電子掲示板サーバ。
【請求項２】
非登録のユーザが操作する情報処理装置からの参照要求に対しては、個人情報以外の情報を含む情報の入力欄に入力された個人情報を、無関係の情報に置き換えて参照させることを特徴とする請求項１記載の電子掲示板サーバ。
【請求項３】
前記所定の入力フォームを用いて書き込まれた情報に含まれる個人情報を抽出する手段と、
抽出した各個人情報を、個別のインデックスに置き換える手段と、
インデックスに置き換えられた情報を前記掲示板情報として格納する手段と、
前記個人情報と前記インデックスとの対応を示す情報を記憶する手段と、
登録済みのユーザが操作する情報処理装置からの参照要求に応じて前記インデックスを元の個人情報に置換するとともに、非登録のユーザが操作する情報処理装置からの参照要求に応じて前記インデックスを個人情報とは無関係のダミー情報に置換する手段と、
前記インデックスを元の個人情報又は前記ダミー情報に置換した掲示板情報を、要求元の情報処理装置へ送信する手段とを有することを特徴とする請求項１又は２記載の電子掲示板サーバ。
【請求項４】
前記所定の入力フォームを用いて書き込まれた情報を掲示板情報として格納する手段と、
前記掲示板情報に含まれる個人情報を抽出し、抽出した個人情報を無関係のダミー情報に置換する手段とを有し、
登録済みのユーザが操作する情報処理装置からの参照要求に応じて、前記掲示板情報を要求元の情報処理装置へ送信し、
非登録のユーザが操作する情報処理装置からの参照要求に応じて、前記個人情報をダミー情報に置換した掲示板情報を要求元の情報処理装置へ送信することを特徴とする請求項１又は２記載の電子掲示板サーバ。
【請求項５】
請求項１から４のいずれか１項記載の電子掲示板サーバと少なくとも一つの情報処理装置とをネットワークを介して接続したことを特徴とする電子掲示板システム。
【請求項６】
登録済みのユーザによって所定の入力フォームを用いて書き込まれた情報からなる掲示板情報を、ネットワークを介して接続された情報処理装置からの要求に応じて参照させる電子掲示板サーバによる掲示板データ提供方法であって、
前記電子掲示板サーバは、非登録のユーザが操作する情報処理装置からの参照要求に対しては、前記所定の入力フォームのうち、少なくとも個人情報のみからなる情報の入力欄の内容を、個人情報とは無関係の情報に置き換えて参照させることを特徴とする掲示板データ提供方法。
【発明の詳細な説明】
【技術分野】
【０００１】
本発明は、不特定多数者がネットワークを介して利用可能な電子掲示板を提供する電子掲示板サーバ、電子掲示板システム及び掲示板データ提供方法に関する。
【背景技術】
【０００２】
インターネットなどのネットワーク上のコミュニティにおいてユーザ同士で情報を交換するシステムとして、「電子掲示板（Bulletin Board System：ＢＢＳ）」が普及している。
【０００３】
電子掲示板は、登録済みのユーザ（コミュニティのメンバー）のみが利用できるようにすると、利用者が限られてしまい、情報の交換が活発に行われなくなってしまう。
【０００４】
このため、非登録のユーザでも情報の参照のみは可能とし、情報を書き込むためには登録を必要とする方式が広く用いられている。この場合、非登録のユーザであっても、登録済みのユーザであっても、同じ電子掲示板で閲覧できる情報は同じである。
【０００５】
また、上記方式の電子掲示板では、不特定多数のユーザが電子掲示板の情報を閲覧するため、情報を書き込んだ者（投稿者）が特定されないようなハンドルネームを使ってアクセスしていた。
【０００６】
このため、登録済みのユーザに対しては、個人を特定可能な情報であっても公開したいという要求に応えることはできなかった。
【０００７】
個人情報の公開に関する技術としては特許文献１に開示される「情報相互公開システム」がある。特許文献１に開示される発明は、ユーザが予め設定した公開レベルを限度として他のユーザの個人情報を閲覧できるようにしたものである。
【特許文献１】特開２００２−２１５５８７号
【発明の開示】
【発明が解決しようとする課題】
【０００８】
しかし、特許文献１に開示される発明は、他人の個人情報を参照するためには、自身の個人情報を公開しなければならない。すなわち、自身が何の情報も公開していない段階では、何の情報を参照できない。
このようなシステムを電子掲示板に適用すると、初めて電子掲示板を利用する場合には、まず自身の個人情報を公開することを強いることとなるため、心理的な抵抗となる。よって、電子掲示板の利用者、すなわちコミュニティのメンバーが増えにくくなってしまうと言う問題がある。
【０００９】
本発明は係る問題に鑑みてなされたものであり、登録済みのユーザに対しては個人情報を参照できる状態で、非登録のユーザに対しては個人情報を参照できない状態で情報を掲示する電子掲示板サーバ、電子掲示板システム及び掲示板データ提供方法を提供することを目的とする。
【課題を解決するための手段】
【００１０】
上記目的を達成するため、本発明は、第１の態様として、登録済みのユーザによって所定の入力フォームを用いて書き込まれた情報からなる掲示板情報を、ネットワークを介して接続された情報処理装置からの要求に応じて参照させる電子掲示板サーバであって、非登録のユーザが操作する情報処理装置からの参照要求に対しては、所定の入力フォームのうち、少なくとも個人情報のみからなる情報の入力欄の内容を、個人情報とは無関係の情報に置き換えて参照させることを特徴とする電子掲示板サーバを提供するものである。
【００１１】
また、上記目的を達成するため、本発明は、第２の態様として、上記本発明の態様に係る電子掲示板サーバと少なくとも一つの情報処理装置とをネットワークを介して接続したことを特徴とする電子掲示板システムを提供するものである。
【発明の効果】
【００１２】
本発明によれば、登録済みのユーザに対しては個人情報を参照できる状態で、非登録のユーザに対しては個人情報を参照できない状態で情報を掲示する電子掲示板サーバ、電子掲示板システム及び掲示板データ提供方法を提供できる。
【発明を実施するための最良の形態】
【００１３】
〔第１の実施形態〕
本発明を好適に実施した第１の実施形態について説明する。図１に示すように、本実施形態に係るＢＢＳサーバ１００は、ネットワーク３００を介して不特定多数の情報処理装置２００ａ〜２００ｎに接続される。
【００１４】
図２に、ＢＢＳサーバ１００の構成を示す。ＢＢＳサーバ１００は、ＢＢＳ管理部１０１、ユーザ認証部１０２、ユーザデータ格納部１０３、変換処理部１０４、ＢＢＳデータ格納部１０５、インデックス情報格納部１０６、及びインデックス置換部１０７を有する。
【００１５】
ＢＢＳ管理部１０１は、情報処理装置２００ａ〜２００ｎからの電子掲示板への書き込み及び閲覧に関する制御を行う。ユーザ認証部１０２は、ＢＢＳ管理部１０１からの指示に応じて情報処理装置２００ａ〜２００ｎのユーザを認証する。ユーザデータ格納部１０３は、ユーザ認証部１０２がユーザ認証に用いるデータ（ユーザＩＤ、パスワードなど）を格納する。変換処理部１０４は、情報処理装置２００ａ〜２００ｎのユーザによって電子掲示板に書き込まれた情報に含まれる個人情報を抽出し、インデックスに変換する。ＢＢＳデータ格納部１０５は、個人情報に相当する部分がインデックスに変換された電子掲示板のデータを格納する。インデックス情報格納部１０６は、変換処理部１０４が変換した個人情報と変換後のインデックスとを関連付けて格納する。また、個人情報とは無関係のダミーデータも格納する。インデックス置換部１０７は、ＢＢＳ管理部１０１からの指示に応じてＢＢＳデータ格納部１０５に格納されている電子掲示板のデータを読み出し、ユーザ認証結果に基づいてインデックスを置換する。
【００１６】
なお、ユーザ登録方法（ユーザデータ格納部１０３にデータを格納する方法）は、任意の方法を適用可能である。例えば、公知のオンライン登録機能をＢＢＳサーバ１００に設けても良いし、オペレータがマニュアル操作でユーザデータをユーザデータ格納部１０３に格納しても良い。
【００１７】
図３に、情報処理装置２００ａ〜２００ｎのユーザが電子掲示板に情報を書き込む場合のＢＢＳサーバ１００の動作の流れを示す。
情報処理装置２００ａ〜２００ｎのいずれかから電子掲示板へ情報を書き込む要求があった場合、ＢＢＳ管理部１０１は、ユーザ認証部１０２にユーザを認証させる（ステップＳ１０１）。ユーザ認証に成功した場合は（ステップＳ１０２／Ｙｅｓ）、ＢＢＳ管理部１０１は、変換処理部１０４へ指示を送り、電子掲示板に書き込む情報の中で個人情報に相当する部分をインデックスに変換させる（ステップＳ１０３）。
【００１８】
個人情報に相当する部分としては、特定の入力欄（投稿者名や投稿者のメールアドレス）に入力された情報の他、電子掲示板へ書き込もうとする文章の本文中に含まれる個人情報に関連する語句（氏名、住所、電話番号、電子メールアドレスなど）である。文章中からこれらの語句を抽出する処理としては公知の方法を適用可能であるため、詳細な説明は割愛するが、一つの例として、個人情報に関連する語句を予めデータベース等に登録しておき、本文中にそれらの語句が含まれる場合には、その語句をインデックスに変換するようにすればよい。
【００１９】
個人情報に相当する部分がインデックスに変換された掲示板データはＢＢＳデータ格納部１０５に、インデックスと元の個人情報とを関連付けた情報はインデックス情報格納部１０６にそれぞれ格納する（ステップＳ１０４）。
ユーザ認証に失敗した場合は（ステップＳ１０２／Ｎｏ）、電子掲示板への情報の書き込みを許可せず処理を終了する。
【００２０】
図４に、情報処理装置２００ａ〜２００ｎのユーザが電子掲示板に書き込まれている情報を閲覧する場合のＢＢＳサーバ１００の動作の流れを示す。
情報処理装置２００ａ〜２００ｎのいずれかから電子掲示板を閲覧する要求があった場合、ＢＢＳ管理部１０１は、ユーザ認証部１０２にユーザを認証させる（ステップＳ２０１）。そして、インデックス置換部１０７に対して、掲示板データの読み出しを要求する（ステップＳ２０２）。ステップＳ２０１においてユーザ認証に成功した場合には（ステップＳ２０３／Ｙｅｓ）、ＢＢＳ管理部１０１はインデックス置換部１０７に対して、インデックスを元の情報に置換するように指示する（ステップＳ２０４）。一方、ステップＳ２０１においてユーザ認証に失敗した場合は（ステップＳ２０３／Ｎｏ）、ＢＢＳ管理部１０１はインデックス置換部１０７に対して、インデックスをダミーデータに置換するように指示する（ステップＳ２０５）。その後、ＢＢＳ管理部１０１は、インデックス置換部１０７による置換が完了した掲示板データを要求元の情報処理装置２００ａ〜２００ｎを送信する（ステップＳ２０６）。
【００２１】
このように、本実施形態に係るＢＢＳサーバは、登録されているユーザに対しては、個人情報を参照できる状態で、非登録のユーザに対しては個人情報を参照できない状態で電子掲示板を公開する。よって、非登録のユーザであっても、個人情報とは関係の無い内容に関しては閲覧可能であるため、電子掲示板の利用を促進できる。
また、登録済みのユーザに対しては、個人を特定可能な情報をそのまま公開できるため、登録済みユーザ間で情報を活発に交換できる。
さらに、電子掲示板を利用する際に、個人が特定されないようなハンドルネームなどを使用する必要がない。
【００２２】
〔第２の実施形態〕
本発明を好適に実施した第２の実施形態について説明する。本実施形態に係るＢＢＳサーバ４００は、第１の実施形態のＢＢＳサーバ１００と同様に、ネットワークを介して不特定多数の情報処理装置に接続される。
【００２３】
図５に、本実施形態に係るＢＢＳサーバ４００の構成を示す。ＢＢＳサーバ４００は、ＢＢＳ管理部４０１、ユーザ認証部４０２、ユーザデータ格納部４０３、ＢＢＳデータ格納部４０４、変換処理部４０５、ダミーデータ格納部４０６を有する。
ＢＢＳ管理部４０１は、情報処理装置からの電子掲示板への書き込み及び閲覧に関する制御を行う。ユーザ認証部１０２は、ＢＢＳ管理部１０１からの指示に応じて情報処理装置のユーザを認証する。ユーザデータ格納部１０３は、ユーザ認証部１０２がユーザ認証に用いるデータ（ユーザＩＤ、パスワードなど）を格納する。ＢＢＳデータ格納部４０４は、電子掲示板のデータを格納する。変換処理部４０５は、電子掲示板のデータのうち個人情報に関連する部分をダミーデータに変換する。ダミーデータ４０６は、個人情報とは関連のないダミーデータが格納されている。
【００２４】
図６に、情報処理装置２００ａ〜２００ｎのユーザが電子掲示板に情報を書き込む場合のＢＢＳサーバ１００の動作の流れを示す。
情報処理装置から電子掲示板へ情報を書き込む要求があった場合、ＢＢＳ管理部４０１は、ユーザ認証部４０２にユーザを認証させる（ステップＳ３０１）。ユーザ認証に成功した場合は（ステップＳ３０２／Ｙｅｓ）、ＢＢＳ管理部１０１は、掲示板データをＢＢＳデータ格納部４０４に格納する（ステップＳ３０３）。
ユーザ認証に失敗した場合は（ステップＳ３０２／Ｎｏ）、電子掲示板への情報の書き込みを許可せず処理を終了する。
【００２５】
図７に、情報処理装置のユーザが電子掲示板に書き込まれている情報を閲覧する場合のＢＢＳサーバ４００の動作の流れを示す。
情報処理装置から電子掲示板を閲覧する要求があった場合、ＢＢＳ管理部４０１は、ユーザ認証部４０２にユーザを認証させる（ステップＳ４０１）。ユーザ認証に成功した場合には（ステップＳ４０２／Ｙｅｓ）、ＢＢＳ管理部４０１はＢＢＳデータ格納部４０４から電子掲示板のデータを取得する（ステップＳ４０３）。一方、ユーザ認証に失敗した場合は（ステップＳ４０２／Ｎｏ）、ＢＢＳ管理部４０１は変換処理部４０５に対して、電子掲示板のデータ中の個人情報に相当する部分をダミーデータに置換するように指示する。変換処理部４０５は、ダミーデータ格納部４０６からダミーデータを読み出し、電子掲示板のデータ中の個人情報に相当する部分をダミーデータに置換する（ステップＳ４０４）。その後、ＢＢＳ管理部４０１は、個人情報に相当する部分の置換が完了した掲示板データを変換処理部４０５から取得する（ステップＳ４０５）。
ＢＢＳ管理部４０１は、ＢＢＳデータ格納部４０４又は変換処理部４０５から取得した掲示板データを要求元の情報処理装置へ送信する（ステップＳ４０６）。
【００２６】
このように、本実施形態に係るＢＢＳサーバは、登録されているユーザに対しては、個人情報を参照できる状態で、非登録のユーザに対しては個人情報を参照できない状態で掲示板を公開する。よって、非登録のユーザであっても、個人情報とは関係の無い内容に関しては閲覧可能であるため、電子掲示板の利用を促進できる。
また、登録済みのユーザに対しては、個人を特定可能な情報をそのまま公開できるため、登録済みユーザ間で情報を活発に交換できる。
さらに、電子掲示板を利用する際に、個人が特定されないようなハンドルネームなどを使用する必要がない。
【００２７】
なお、上記各実施形態は本発明の好適な実施の一例であり、本発明はこれらに限定されることなく様々な変形が可能である。
【図面の簡単な説明】
【００２８】
【図１】本発明を好適に実施した第１の実施形態に係るＢＢＳサーバを用いた電子掲示板システムを示す図である。
【図２】第１の実施形態に係るＢＢＳサーバの構成を示す図である。
【図３】第１の実施形態に係るＢＢＳサーバの掲示板への情報書き込み時の動作の流れを示す図である。
【図４】第１の実施形態に係るＢＢＳサーバの掲示板が閲覧される場合の動作の流れを示す図である。
【図５】本発明を好適に実施した第２の実施形態に係るＢＢＳサーバの構成を示す図である。
【図６】第２の実施形態に係るＢＢＳサーバの掲示板への情報書き込み時の動作の流れを示す図である。
【図７】第２の実施形態に係るＢＢＳサーバの掲示板が閲覧される場合の動作の流れを示す図である。
【符号の説明】
【００２９】
１００、４００    ＢＢＳサーバ
１０１、４０１    ＢＢＳ管理部
１０２、４０２    ユーザ認証部
１０３、４０３    ユーザデータ格納部
１０４、４０５    変換処理部
１０５、４０４    ＢＢＳデータ格納部
１０６    インデックス情報格納部
１０７    インデックス置換部
４０６    ダミーデータ格納部
【図１】
2010066788.tif 000003
【図２】
2010066788.tif 000004
【図３】
2010066788.tif 000005
【図４】
2010066788.tif 000006
【図５】
2010066788.tif 000007
【図６】
2010066788.tif 000008
【図７】
2010066788.tif 000009